(57)【特許請求の範囲】
【請求項１】
扱胴を回転可能に内装軸架した扱室ケースと、該扱室ケースの下方に設けられ選別装置を備えた下部ケースと、を備え、前記下部ケースに軸架された支点軸に、前記扱室ケースに設けられた回動支持アームを回動自在に連結し、前記支点軸を回動中心として扱室ケースを上下に回動可能に支持した脱穀機において、
前記下部ケースに設けられた係合部材と、
前記扱室ケースに設けられた操作レバーと、該操作レバーとリンク機構を介して連結され、前記係合部材と係合するフック部及び前記係合部材を前記フック部に案内するガイド部を有するロック部材とを有し、
前記扱室ケースの閉じ状態にて、前記ロック部材を、弾性付勢部材の付勢力により前記下部ケース側に自動的にロック可能に配置すると共に、
前記ロック部材を前記操作レバーの操作に基づきロック解除可能に構成し、
更に、前記扱室ケースの開状態にて、前記ロック部材に当接して、該ロック部材のロック方向への回動を規制し、前記ガイド部による前記係合部材のフック部への案内が可能な位置に保持する規制手段を設けた、
ことを特徴とする脱穀機の扱室開閉ロック装置。
【請求項２】
前記係合部材を、前記下部ケース側に取付けた支持ブラケットに固定すると共に、該支持ブラケットの位置調整に基づき前記係合部材を位置調整可能とした、
ことを特徴とする請求項１記載の脱穀機の扱室開閉ロック装置。
【発明の詳細な説明】
【０００１】
【発明の属する技術分野】
本発明は、脱穀機の扱室開閉ロック装置に関し、詳しくは扱室ケースを下部ケース側にロックするロック部材を、扱室ケースの開状態においてロック方向に回動しないようにした脱穀機の扱室開閉ロック装置に関する。
【０００２】
【従来の技術】
コンバイン等に搭載される脱穀機では、例えば扱室ケース内に扱胴が内装軸架されていて、この扱胴は、例えば穀稈の送給方向に沿った回転軸の回りに回転自在に支持され、扱室ケースに設けられた操作レバーを操作すると、その先端のロック部材により、該扱室ケースが下部ケースに対しロック又はアンロック可能に構成されている。この下部ケースには、揺動選別室が配設されていて、扱胴にて脱粒された穀粒は、扱胴の下方に配設された受網を漏下すると共に、該受網の下方には前記排塵選別室内で機体前後に揺動可能な揺動選別体が設けられている。
【０００３】
この揺動選別体は、穀粒流の上流側から下流側に沿って配置された揺動流板と、その後方にチャフシーブ等とが連続して設けられていて、このチャフシーブは、その前後揺動と排塵選別室内に供給される選別風とにより、チャフ（籾殻）と穀粒との分離を行うもので、多数の平行フィンが配設され、これら多数のフィンは穀粒量に応じてその開度が調節可能とされている。
【０００４】
【発明が解決しようとする課題】
前記ロック部材は、図１１に示すように、図示しない操作レバーの操作に基づき、回動支点１５２を中心として矢印Ａ，Ｂ方向に回動するカム１４２を有し、該カム１４２が、扱胴を覆う扱室ケースの閉状態において、矢印Ａ方向に回動することで、その先端フック部１４２ａが下部ケース側のブラケット１５４に取付けられた係合ピン１５６に係合してロックされる。また、前記カム１４２が、回動支点１５２を中心として矢印Ｂ方向に回動することで、その先端フック部１４２ａが係合ピン１５６から外れてアンロック状態となる。
【０００５】
しかし、従来、図１２に示すように、操作レバーの操作に基づき、先端フック部１４２ａが係合ピン１５６から外され（アンロック状態）、扱室ケースが上方に開放されたとき、カム１４２が矢印Ａ方向に過回動して、先端フック部１４２ａがブラケット１５４に乗り上げるおそれがあった。このように、先端フック部１４２ａがブラケット１５４に乗り上げると、扱室ケースを閉状態にするとき、先端フック部１４２ａが係合ピン１５６の上方に位置したままとなり、該先端フック部１４２ａが係合ピン１５６に係合することが困難になるという課題があった。
【０００６】
本発明は、斯かる課題を解決するためになされたもので、その目的とするところは、扱室ケースの閉じ状態にてロック部材がロック不能になるのを防止可能な脱穀機の扱室開閉ロック装置を提供することにある。
【０００７】
【課題を解決するための手段】
前記目的を達成するため、本発明は、扱胴（２４）を回転可能に内装軸架した扱室ケース（２６）と、該扱室ケース（２６）の下方に設けられ選別装置を備えた下部ケース（２８）と、を備え、前記下部ケース（２８）に軸架された支点軸（３４）に、前記扱室ケース（２６）に設けられた回動支持アーム（３６）を回動自在に連結し、前記支点軸（３４）を回動中心として扱室ケース（２６）を上下に回動可能に支持した脱穀機（Ｃ）において、
前記下部ケースに（２８）設けられた係合部材（５６，５７）と、
前記扱室ケース（２６）に設けられた操作レバー（３８，３９）と、該操作レバー（３８，３９）とリンク機構（４０，４１）を介して連結され、前記係合部材（５６，５７）と係合するフック部（４２ａ）及び前記係合部材（５６，５７）を前記フック部（４２ａ）に案内するガイド部を有するロック部材（４２，４３）とを有し、
前記扱室ケース（２６）の閉じ状態にて、前記ロック部材（４２，４３）を、弾性付勢部材（５８，５９）の付勢力により前記下部ケース（２８）側に自動的にロック可能に配置すると共に、
前記ロック部材（４２，４３）を前記操作レバー（３８，３９）の操作に基づきロック解除可能に構成し、
更に、前記扱室ケース（２６）の開状態にて、前記ロック部材（４２，４３）に当接して、該ロック部材（４２，４３）のロック方向への回動を規制し、前記ガイド部による前記係合部材（５６，５７）のフック部（４２ａ）への案内が可能な位置に保持する規制手段（７０，７１）を設けた、ことを特徴とする。
【０００９】
本発明は、前記係合部材（５６，５７）を、前記下部ケース（２８）側に取付けた支持ブラケット（５４，５５）に固定すると共に、該支持ブラケット（５４，５５）の位置調整に基づき前記係合部材（５６，５７）を位置調整可能とした、ことを特徴とする。
【００１０】
［作用］
本発明によれば、操作レバー（３８，３９）とロック部材（４２，４３）とがリンク機構（４０，４１）を介して連結されているので、扱室ケース（２６）を閉じるだけで該扱室ケース（２６）が自動的にロックされると共に、ロック部材（４２，４３）によるロック方向への回動を規制する規制手段（７０，７１）を設けたことにより、扱室ケース（２６）が開状態にあるときに、例えばロック部材（４２，４３）がロック方向に回動しすぎてしまい、扱室ケース（２６）を閉状態にした場合に、ロック部材（４２，４３）が自動的にロック不能になってしまうのが回避されることになる。
【００１１】
なお、上述した括弧内の符号は、図面を対照するためのものであって、本発明を何ら限定するものではない。
【００１２】
【発明の実施の形態】
以下、図面に基づき本発明の実施の形態を説明する。
【００１３】
図１及び図２は、本発明が適用された脱穀機としてのコンバインの概略の側面図及び正面図であり、コンバインＣは、左右一対のクローラ走行装置１２に支持された走行機体１４を有し、該走行機体１４の前方には前処理部１６が昇降自在に配設され、該前処理部１６の後方で走行機体１４の上部右側には運転席１８が設けられている。この運転席１８の後方の左右側には、前処理部１６にて刈取られた穀稈を脱穀する脱穀部２０と、該脱穀部２０にて脱穀された穀粒を一時的に貯留するグレンタンク２２が夫々配置されている。
【００１４】
前記脱穀部２０は、図３に示すように、扱胴２４が回転可能に内装軸架された扱室ケース２６と、該扱室ケース２６の下方に設けられ、かつ揺動選別装置（図示せず）を備えた下部ケース２８とを備えていて、前処理部１６にて刈取られた穀稈は、フィードチエン３０とレール３２によって挟持されながら扱室ケース２６内に供給される。
【００１５】
なお、前記レール３２の一側方を覆うように、レールカバー３３が設けられていて、該レールカバー３３の下端は、フィードチエン３０の近傍まで下方に延出されている。また、下部ケース２８には、支点軸３４が軸架されていて、該支点軸３４には、回動支持アーム３６が軸着されている。この回動支持アーム３６は、扱室ケース２６と一体的に固定されていて、該扱室ケース２６は、支点軸３４を回動中心として上下に回動可能に支持されている。
【００１６】
図４は、図３のＩＶ方向矢視図であり、レールカバー３３は機体の前後側に沿って設けられ、このレールカバー３３の前後部には、後述する操作レバー３８，３９が設けられ、中央部には把手３７が設けられている。これらの操作レバー３８，３９の引出し部には、夫々ガイド穴２７，２９が形成されている。
【００１７】
本実施の形態では、扱室ケース２６に設けられた操作レバー３８，３９と、該操作レバーとリンク機構４０，４１を介して連結されたロック部材４２，４３とを有し、扱室ケース２６の閉じ状態にて、ロック部材４２，４３を、弾性付勢部材５８，５９の付勢力により下部ケース２８側に自動的にロック可能に配置すると共に、ロック部材４２，４３を、操作レバー３８，３９の操作に基づきロック解除可能に構成した。
【００１８】
すなわち、図１と図５，図６に示すように、扱室ケース２６の機体前後には、夫々独立して操作可能な前記操作レバー３８，３９が設けられていて、この操作レバー３８，３９には、リンク機構４０，４１を介してカム（ロック部材）４２，４３が夫々連結されている。
【００１９】
図５において、前記操作レバー３８は、これと一体のレバー部４４が軸４６を中心として揺動自在に配置され、このレバー部４４の他端は、ピン４８を介してリンクアーム４０ａに連結されている。更に、このリンクアーム４０ａの他端は、ピン５０を介して前記カム４２に連結されている。このカム４２は、先端にフック部４２ａを有すると共に、カム軸５２を中心として回動可能に、上側壁２６ａに取付けられている。このカム４２とピン５０との間には、捩りコイルバネ５８が装着されていて、この捩りコイルバネ５８の付勢力により、カム４２は、カム軸５２を中心としてロックされる方向に付勢されている。
【００２０】
一方、下部ケース２８の前側壁２８ａには、支持ブラケット５４が固定されていて、この支持ブラケット５４に係合ピン（係合部材）５６が植設されている。そして、扱室ケース２６の閉じ状態で、操作レバー３８を図５の上方に操作すると、捩りコイルバネ５８の付勢力に抗してリンクアーム４０ａが引かれ、カム４２は、カム軸５２を中心として図５の反時計方向に回動し、カム４２のフック部４２ａが係合ピン５６から外れてアンロックされる。これにより、扱室ケース２６を上方に回動して開放することができる。
【００２１】
また、扱室ケース２６を再び閉じると、捩りコイルバネ５８の付勢力により、カム４２がカム軸５２を中心として図５の時計方向に回動するように付勢され、カム４２のフック部４２ａが係合ピン５６に自動的に係合されてロックされる。
【００２２】
更に、前記支持ブラケット５４は、３個のボルト６０〜６２により下部ケース２８の前側壁２８ａに固定されていると共に、そのボルト穴は長穴６３〜６５に形成されている。そして、この長穴６３〜６５により、支持ブラケット５４の取付け位置を調整することができ、ひいては、係合ピン５６の位置調整を行うことができる。
【００２３】
同様に、図６に示すように、操作レバー３９は、これと一体のレバー部４５が軸４７を中心として揺動自在に配置され、このレバー部４５の他端は、ピン４９を介してリンクアーム４１ａに連結されている。更に、このリンクアーム４１ａの他端は、ピン５１を介して前記カム４３に連結されている。このカム４３は、先端にフック部４３ａを有すると共に、カム軸５３を中心として回動可能に、上側壁２６ａに取付けられている。このカム４３の一端には、コイルバネ５９が装着されていて、このコイルバネ５９の付勢力により、カム４３は、カム軸５３を中心としてロックされる方向に付勢されている。
【００２４】
一方、下部ケース２８の後側壁２８ｂには、支持ブラケット５５が固定されていて、この支持ブラケット５５に係合ピン（係合部材）５７が植設されている。そして、扱室ケース２６の閉じ状態で、操作レバー３９を図６の上方に操作すると、リンクアーム４１ａが引かれて、カム４３はカム軸５３を中心として図６の反時計方向に回動し、カム４３のフック部４３ａが係合ピン５７から外れてアンロックされる。これにより、扱室ケース２６を上方に回動して開放することができる。
【００２５】
また、扱室ケース２６を再び閉じると、コイルバネ５９の付勢力により、カム４３がカム軸５３を中心として図６の時計方向に回動するように付勢され、カム４３のフック部４３ａが係合ピン５７に自動的に係合されてロックされる。
【００２６】
更に、前記支持ブラケット５５は、２個のボルト６６，６７により下部ケース２８の後側壁２８ｂに固定されていると共に、上部位のボルト穴は長穴６８に形成されている。そして、この長穴６８により、支持ブラケット５５の取付け位置を調整することができ、ひいては、係合ピン５７の位置調整を行うことができる。
【００２７】
また、本実施の形態では、前記扱室ケース２６の開状態にて、前記カム（ロック部材）４２，４３によるロック方向への回動を規制する規制手段７０，７１を設けている。
【００２８】
すなわち、例えば図７に示すように、扱室ケース２６の開状態において、前記カム４２が係合ピン５６に対しロックされる方向（Ａ方向）に過回動するのを防止できれば、扱室ケース２６を閉じるときに、カム４２が滑らかにブラケット５４に進入して、捩りコイルバネ５８（図５参照）の付勢力により、カム４２のフック部４２ａが係合ピン５６に自動的に係合されてロックされることになる。
【００２９】
そこで、図５〜図７に示すように、カム４２，４３の下方部位に近接してストッパ（規制手段）７０，７１を配置し、このストッパ７０，７１により、カム４２，４３がカム軸５２，５３を中心として過回動するのを防止している。
【００３０】
また、図５及び図６において、レールカバー３３の上部には、操作レバー３８，３９の操作用のガイド穴２７，２９が形成されていて、扱室ケース２６が開の状態のときは、カム４２，４３は、捩りコイルバネ５８又はコイルバネ５９の付勢力によってロックされる方向に回動しようとする。しかし、カム４２，４３は操作レバー３８，３９とリンクされており、該操作レバー３８，３９が下方に操作されてガイド穴２７，２９の下端に当接されると、カム４２，４３はそれ以上回動することができない。これにより、カム４２，４３がカム軸５２，５３を中心として過回動するのを防止している。
【００３１】
なお、図５及び図６における符号７２，７３は、扱室ケース２６を上方に回動操作し易いように、上方への回動力を付与すべく扱室ケース２６内に配置されたガススプリングである。
【００３２】
また、図８に示すように、前記カム４２のフック部４２ａの近傍には、捩りコイルバネ５８を装着するため、かがり部４２ｂが形成されている。そして、このかがり部４２ｂにより、捩りコイルバネ５８の作動をスムーズにすることができると共に、組付け性の向上が図られている。
【００３３】
図９は、カム４２が半ロック状態にある場合を示している。
【００３４】
すなわち、カム４２が通常ロック状態にあるときは、該カム４２は係合ピン５６に引っ掛っているが（図の破線参照）、半ロック時には、カム４２は係合ピン５６に引っ掛っていない状態にある（図の実線参照）。そして、半ロック時の操作レバー３８（図の実線参照）は、ロック時（図の破線参照）よりも上方位置にあるため、オペレータが操作レバー３８の操作位置を視認すれば、カム４２がロック状態にあるか、又は半ロック状態にあるかを容易に識別することができる。
【００３５】
図１０は、操作レバー３８のロック位置にマークを貼付した状態を示している。
【００３６】
すなわち、カム４２がロック状態にあるときの操作レバー３８の操作位置に、マーク７４ａが一致するようにガイド穴２７の側部にラベル７４を貼付する。これにより、操作レバー３８が半ロック状態にあるときは、該操作レバー３８とマーク７４ａとの位置が一致しないので、オペレータは半ロック状態を容易に識別することができる。
【００３７】
【発明の効果】
請求項１記載の発明によれば、操作レバーとリンク機構を介して連結されたロック部材とを有し、扱室ケースの閉じ状態にて、前記ロック部材を、弾性付勢部材の付勢力により下部ケース側に自動的にロック可能に配置すると共に、該ロック部材を、操作レバーの操作に基づきロック解除可能に構成したことで、操作レバーとロック部材とがリンク機構を介して連結されているので、扱室ケースを閉じるだけで自動的にロックされるものでありながら、扱室ケースの開状態にて、ロック部材によるロック方向への回動を規制する規制手段を設けたことにより、扱室ケースが開状態にあるときに、ロック部材がロック方向に回動しすぎて、扱室ケースを閉状態にしたときにロック部材が自動的にロック不能になるのを防止することができる。
【００３８】
また、規制手段を、ロック部材の近傍に配置したので、該規制手段によりロック部材の回動を直接的に規制することができ、ロック部材のロック方向への過回動を防止することができる。
【００３９】
さらに、ロック部材に係合する係合部材を、下部ケース側に取付けた支持ブラケットに固定すると共に、該支持ブラケットの位置調整に基づき係合部材を位置調整可能としたので、係合部材を含むロック装置全体の位置調整と、支持ブラケットの取付け位置調整とを兼用することができ、調整作業の簡略化を図ることができる。
【図面の簡単な説明】
【図１】本発明が適用されたコンバインの側面図である。
【図２】同上の正面図である。
【図３】同上の脱穀部の正面図である。
【図４】図３のＩＶ方向矢視図である。
【図５】脱穀部の断正面図である。
【図６】脱穀部の断後面図である。
【図７】扱室ケースの開状態における、カムと係合ピンとの関係を示す図である。
【図８】カムを一方向に付勢する捩りコイルバネの取付状態を示す図である。
【図９】カムが半ロック状態にある場合を示す図である。
【図１０】ガイド穴に沿って移動する操作レバーの操作位置関係を示す図である。
【図１１】扱室ケースの閉状態における、カムと係合ピンとの関係の従来例を示す図である。
【図１２】扱室ケースの開状態における、カムと係合ピンとの関係の従来例を示す図である。
【符号の説明】
Ｃ        コンバイン
２６      扱室ケース
２８      下部ケース
２７，２９    ガイド穴
３４      支点軸
３６      回動支持アーム
３８，３９    操作レバー
４０，４１    リンク機構
４０ａ，４１ａ    リンクアーム
４２，４３    カム（ロック部材）
５０，５１    ピン
５２，５３    カム軸
５４，５５    支持ブラケット
５６，５７    係合ピン（係合部材）
５８    捩りコイルバネ（弾性付勢部材）
５９    コイルバネ（弾性付勢部材）
６０，６１，６２    ボルト
６３，６４，６５    長穴
６６，６７    ボルト
６８    長穴
７０，７１    ストッパ（規制手段）
【図１】
0004368545.tif 000002
【図２】
0004368545.tif 000003
【図３】
0004368545.tif 000004
【図４】
0004368545.tif 000005
【図５】
0004368545.tif 000006
【図６】
0004368545.tif 000007
【図７】
0004368545.tif 000008
【図８】
0004368545.tif 000009
【図９】
0004368545.tif 000010
【図１０】
0004368545.tif 000011
【図１１】
0004368545.tif 000012
【図１２】
0004368545.tif 000013